(57)【要約】  【課題】  【解決手段】照明装置又は器具１１の少なくとも１つの照明チャンネル１５へのリアルタイム効果の適用方法が開示されている。この方法は、１以上の照明チャンネルに適用される異なるリアルタイム効果１３及び１４を制御する共通の制御手段インターフェイス１２を与えるステップを有する。リアルタイム効果は、強度、位置、色彩、ゴーボー（パターン）ビーム又は自動照明装置の他の制御可能な特性といった効果の中から選択されるものを含む。リアルタイム効果の適用方法では、リアルタイムで制御された組み合わされた効果を構成する、全ての装置の含まれている各効果特性が、その効果について対応する効果マスタコントローラ（１３，１４，１５）により調整されるようになっている。【選択図】図１
2008510282.tif 000002
【特許請求の範囲】
【請求項１】
照明装置又は器具の少なくとも１の照明チャンネルへのリアルタイム効果の適用方法であって、
前記方法が、前記１以上の照明チャンネルに適用される異なるリアルタイム効果を制御する共通の制御手段インターフェイスを与えるステップを有することを特徴とするリアルタイム効果の適用方法。
【請求項２】
前記リアルタイム効果が、強度、位置、色彩、ゴーボー（パターン）ビーム又は自動照明装置の他の制御可能な特性といった効果の中から選択される効果を含むことを特徴とする請求項１に記載のリアルタイム効果の適用方法。
【請求項３】
前記照明装置が、それに適用される組み合わされた効果を有することを特徴とする請求項２に記載のリアルタイム効果の適用方法。
【請求項４】
前記組み合わされた効果を構成する各効果がリアルタイムで制御され、全ての装置の含まれている効果特性が、その効果について対応する効果マスタコントローラにより調整されることを特徴とする請求項３に記載のリアルタイム効果の適用方法。
【請求項５】
各照明装置又は器具が、リアルタイムで制御される強度及び位置を有し、全ての装置の全ての強度特性が強度効果マスタコントローラにより調整され、全ての装置の全ての位置が位置効果マスタコントローラにより調整されることを特徴とする請求項４に記載のリアルタイム効果の適用方法。
【請求項６】
前記共通の制御手段が前記効果マスタコントローラのグループ化により実現され、複合効果が達成されることを特徴とする請求項５又は６に記載のリアルタイム効果の適用方法。
【請求項７】
プログラミングインターフェイスが、特定の効果マスタコントローラとは独立に、又は前記共通の制御手段を通して、特定の効果マスタパラメータの制御に使用されることにより、前記効果マスタコントローラの効果が一様に実現することを特徴とする請求項６に記載のリアルタイム効果の適用方法。
【請求項８】
前記制御手段に関連した各特定の効果に関するデータが、効果ライブラリに保存可能で、必要に応じて任意の数のライトの他の組に適用されることを特徴とする請求項７に記載のリアルタイム効果の適用方法。
【請求項９】
前記リアルタイム効果に関する特性が、本書に規定されている重ね合わせ、拡がり、ブロック化、方向及び順序を有することを特徴とする請求項１乃至８のいずれか１項に記載のリアルタイム効果の適用方法。
【請求項１０】
図面と関連して実質的にここに記載された少なくとも１の照明チャンネルに適用されることを特徴とするリアルタイム効果の適用方法。
【発明の詳細な説明】
【技術分野】
【０００１】
本発明は、照明制御卓、特に、制御チャンネル特性が調節される各ライトに関する共通の構成要素により提供される照明制御卓のリアルタイム効果に関する。
【背景技術】
【０００２】
一般に、劇場のセット又は他の会場で照明システムを制御するのに使用される照明制御卓は、低周波のリアルタイム波形で制御チャンネル特性を調節して、一連の照明キューをプログラムすることなしにダイナミックな見た目を実現できるリアルタイム効果を提供可能である。一般に、静的な照明の見た目は単一のキューで設定され、リアルタイムの構成要素が各制御チャンネルの上に振幅パラメータにより制御される深さで重なる。この分野の現在の技術は、各制御チャンネルに一連のリアルタイム特性を加えて、変調がどのように適用されるかに影響を与える。この一連の追加特性は、以下のような特性であると考えられる。
波形：例えば、サイン、コサイン、方形波、のこぎり波、三角波等
周波数（レート）：１秒間に繰り返される波形のサイクル
振幅：調節の深さ、すなわち、基調をなす静的な値にリアルタイム構成要素がどれだけ加えられるか
オフセット：同時に波形に沿った異なる点で個別のチャンネルを調節可能な、概念上の基準値からの位相オフセット
【発明の開示】
【発明が解決しようとする課題】
【０００３】
従来のシステムでは、例として、円形効果を実現するために、パンチャンネルが重ねられたサイン波を有し、ティルトチャンネルが重ねられたコサイン波を有する。双方のチャンネルが同じレート及び同じ振幅を有している場合、２つの信号が組み合わさって元の中心（調節が加えられる前の静的な基本形の中心）の周りに円を描く光を形作る。全てが同じ中心点及び同じ波形レート及び振幅特性を目指す１０個の照明器具がある場合、それらのオフセット特性を同一に維持することにより、これらの器具がこの円に沿って同じ点をたどるようにすることができる。所望の見た目がこの円に沿って拡がる点である場合、各個別のライトが、それぞれの量でパン及びティルトチャンネルのオフセット値を調整可能である。例えば、１番目は（パン及びティルトの双方について）０％のオフセット値、２番目は１０％のオフセット値、３番目は２０％のオフセット値などである。
【０００４】
また、強度又はシャッタ枠といったシーケンスタイプの効果を、この技術を用いて実現可能であるが、程度が限られている。例えば、８個のライトセットの強度枠を実現するために、１：８のマークスペース比の方形波を出力する必要がある。この波形は、各ライトの強度チャンネルに適用され、各々には１６．６％の間隔を置いたオフセット値が割り当てられる。１１個以上のライト又は７個以上のライトの枠が必要な場合、この目的を達成するには（例えば、１：１１又は１：７といった適切なマークスペース比の）適切な特定の波形が必要である。
【０００５】
基本的に、本技術における現状の制限は、各調節特性が所望の見た目を達成するために一緒に組み合わせるその他の特性から完全に独立して存在するという事実に起因する。このような方法で特性値を試して設定するのはユーザインターフェイス次第であり、所望の効果をもたらす同期が確立される。
【０００６】
このため、本発明は、照明チャンネルに適用可能なリアルタイム効果、すなわち、特性が調節されるライトに関する共通の構成要素により提供される単一のコントローラにより同期して適用される効果を適用するシステムを提供する必要性から考案された。少なくとも本発明は、現在知られたライト制御装置に別の方法を提供する。
【課題を解決するための手段】
【０００７】
本発明によれば、少なくとも１つの照明チャンネルにリアルタイム効果を適用する方法が提供され、この方法は、１以上の照明チャンネルに適用される様々なリアルタイム効果を制御する共通の制御手段インターフェイスを提供するステップを有している。
【０００８】
本発明の好ましい構成は、強度及び位置を組み合わせて制御することを記載しているが、最も広い構成の本発明は、これに制限されず、色彩、ゴーボー（パターン）ビーム又は自動照明装置のその他の特性とともに強度及び位置を含むその他のパラメータの組み合わせも、必要に応じて制御することができる。
【発明の効果】
【０００９】
例えば、照明装置又は照明器具がそれに適用される強度及び位置を組み合わせた効果を有することは、一般的である。本発明の好ましい形では、各ライトがリアルタイムで制御される強度及び位置を有しているため、全ての照明の全ての強度特性は強度効果マスタコントローラにより調整され、全ての照明の全ての位置は位置効果マスタコントローラにより調整される。
【００１０】
前記共通の制御手段は、複合効果が達成されるような効果マスタコントローラのグループ化が好ましい。プログラムインターフェイスを用いて、特定の効果マスタコントローラ用に別々に又は共通の制御手段を通して、特定の効果マスタパラメータを操作して、効果マスタコントローラの効果が一様に達成されることが好ましい。
【００１１】
制御手段に関連した各特定の効果に関するデータは効果ライブラリに保存可能で、必要に応じて、ある数のライトの他の組に適用することができる。
【００１２】
リアルタイム効果に関する特性は、重ね合わせ、拡がり、ブロック化、方向又は順序を含むのが好ましい。
【発明を実施するための最良の形態】
【００１３】
本発明に係る一つの好ましい実施例が、図面を参照して記載されている。
【００１４】
図１は、照明制御システム１０の好ましい実施例を用いた４つのライトに適用される組み合わせた強度及び位置効果の組み合わせの典型的な構成を示す。ライト１１に適用したこのシステム１０は、強度効果マスタ１３及び位置効果マスタ１４をグループ化した複合効果収容部１２を有している。これらのマスタ１３及び１４は、強度及び位置コントローラ１５を介してライト１１に効果を与える。
【００１５】
これは、各ライト１１が、マスタ１３及び１４の協働によりリアルタイムで制御される強度及び位置を有することを意味する。そして、プログラムのインタフェイスは、特定の効果ための特定の効果マスタのパラメータを、マスタ１３及び１４又は複合効果収容部１２を通して独立して制御するため、変更がここに含まれる全ての効果マスタに一様に実現する。効果収容部１２に規定され含まれる効果データは、効果ライブラリに記憶され、そこから再生可能で、後日適用可能である。
【００１６】
効果マスタ１３及び１４は、一般に各ライト１１の様々な特性をリアルタイムで調節する。この効果マスタは、ライトの数により照明特性を効果的に制御し、この照明特性間及び各ライトの様々な特性間の同期化を制御する。また、リアルタイム効果のシーケンスは、マスタ１３及び１４により制御される。
【００１７】
制御可能な特性は、以下のものを含む。
【００１８】
重ね合わせ：重ね合わせは、ライトが同時にそれらの調節を実行するかどうか又はライトが調節サイクルを単独で実行するかどうかを、交互に制御する。重ね合わせは、０％から１００％の間の連続的な値からなり、１００％では同時調節となり、０％では完全に独立した連続的な調節となる。例えば、５０％では、前のライトがそのサイクルの中程にあるときに、各々の次のライトが調節のサイクルを開始する。
【００１９】
拡がり：拡がりは、ライト全体の規則正しい配列の中でのライトの位置に応じて、各ライトに加えられるオフセットを制御する。拡がりは、各ライトが同じオフセットポイントにある０％から、ライトが均等に拡がったオフセットに割り当てられる１００％（すなわち、０％のオフセットから１００％のオフセット）に変化する。例えば、１０％のオフセットでは、最後のライトが最初のライトに対して１０％速く進んでいて、間にある全てのライトは均等に拡がる（０％から１０％）。
【００２０】
ブロック化：ブロック化は、同じ組の中の全てのライトが同じオフセット値を得るような組にライトをグループ化する。これは、自然数で（例えば、ライトが３つにグループ化される場合に３として）特定するか、又は百分率で（例えば、ライト全体の組が４つの組に分割される場合に２５％として）特定するか、あるいは分数として（例えば、３つのライト毎にグループ化される場合に１／３として）特定可能である。
【００２１】
方向：方向は、シーケンスが「アップ」方向（最初から最後）、「ダウン」方向（最後から最初）、又は「反復」方向（最初から最後を通って再び最初に戻る方向）の順序で発生するかどうかを制御するものであり、リアルタイムマスタは、個々のライトについての順序の概念を有する。
【００２２】
順序：順序は、ライトの順序がリアルタイムマスタによりどのように受容されるのかに作用する。「オリジナル」は、独自にプログラムされた順序にライトを保持する。「ランダム」は、全サイクルの開始時に（すなわち、最初のライトがそのサイクルを開始しようとしているときに）、このライトシーケンスを入れ換える。「交互」は、交互にライトを反対の極性に保持する（例えば、立ち上がり波形に対しては、偶数番目のライトが立ち上がり、奇数番目のライトが立ち下がる）。
【００２３】
また、効果マスターは、マスターが制御されているライトの配列を認識しているため、波形特性を出力可能で、不連続なマークスペース比を有する各種方形波を出力する必要がない。その代わりに、（サイン波、傾斜波、三角波、ランダム及び菱形波といった）基本的な波形の組を有する。「位相オフセット」特性は、波形に沿った開始及び停止点を制御する（例えば、サイン波に適用される２５％の位相オフセットは、コサイン波をもたらす）。方形波に関しては、結果として生じる波形を変更するいくつかの所定の特性を有する。すなわち、傾斜が方形のエッジの傾斜に作用して、方形波（垂直線）から菱形波（斜線）に波形を変化させる。マーク／スペースは、方形波／菱形波の幅に影響する（例えば、シャッタ枠のためのフラッシュの継続時間に影響する）。
【００２４】
照明シーケンスをプログラミングした後の動作及び再生のための使用時に、リアルタイムマスタの機構が、それが適用される多数のライトに同時に適用可能なため、例えば３個のライトの組又は１００個のライトの組に等しく効果的に適用する単一の「強度枠」効果を生み出すことが可能である。
【００２５】
再生中は、これらの特性の大部分は直線的に変化し、効果が著しく異なるものであっても（例えば、交互のｃａｎ−ｃａｎに変化する拡がった円の効果）、ある効果から他の効果への均一の変化を実現する。
【００２６】
複数のリアルタイムマスタは、完全に一致する複合効果を達成するために相互に組み合わせ可能である。例えば、強度枠は上下位置のシーケンス枠に結合可能であるため、位置波の頂部のみが強度を有する。そして、成分効果の特性は、同時に操作可能である。
【００２７】
上記は、本発明に係るいくつかの実施例のみを記載するものであるが、本発明の範囲から逸脱することなく変更可能であることは、当業者にとっていうまでもない。
【図面の簡単な説明】
【００２８】
【図１】図１は、４つのライトに適用される強度及び位置効果を組み合わせた典型的な照明制御構成を示す本発明の好ましい実施例に係るブロック図である。
【図１】
2008510282.tif 000003
【国際調査報告】
2008510282.tif 000004
2008510282.tif 000005
2008510282.tif 000006
2008510282.tif 000007
2008510282.tif 000008